(57)【要約】【課題】自然のエネルギーを使用して、内陸の水域の水を循環させ方法を提供すること。【解決手段】満潮時と干潮時の水位差を、通水管１によって内陸水域の内部に導入して水の循環を行う。【選択図】        図１
2005299277.tif 000002
【特許請求の範囲】
【請求項１】
干潮時と満潮時に水位差を生じる干満水域と、
この干満水域と連続した内陸水域との間に水門を設け、
さらに、干潮水域と内陸水域との間を通水管で連続して、
通水管の一方の端を干潮水域側に開口し、
通水管の他方の端を内陸水域側に開口し、
干満水域の満潮時には、水門を開放し、
通水管の干潮水域側を閉鎖して、
干満水域の水を内陸水域に水を流入させ、
干満水域の干潮時には、水門を閉鎖し、通水管の内陸水域側から流入した水を通水管を通して干満水域に吐出させて行う、
内陸水域の水の循環方法。
【請求項２】
干潮時と満潮時に水位差を生じる干満水域と、
この干満水域と連続した内陸水域との間に第一と第二の水門を設け、
さらに、内陸水域を第一の水域と第二の水域に分割して、
かつ第一の水域と第二の水域は一部の連続させ、
干満水域の満潮時には、第一の水門のみを開放して、干満水域の水を第一の水域に流入させ、
干満水域の干潮時には、第二の水門のみを開放して、第二の水域の水を干満水域側へ流入させて行う、
内陸水域の水の循環方法。
【請求項３】
干潮水域と内陸水域との間を連続させた通水管において、
その開口部に水車を設置し、
通水管への水の流入時、あるいは排出時の水圧を使用して水車を回転させて発電を行う、
請求項１，２記載の内陸水域の水の循環方法。
【発明の詳細な説明】
【技術分野】
【０００１】
本発明は、内陸水域の水の循環方法に関するものである。
【背景技術】
【０００２】
城の周囲の御堀や溜池などの内陸水域は、都市化が進むことで水の枯渇や汚濁の問題が発生している。
すなわち水の汚れによる悪臭の発生、ヘドロの堆積、生物の死滅、浮遊ゴミの滞留などの問題である。
【発明の開示】
【発明が解決しようとする課題】
【０００３】
こうした問題を解決するためには、文献を挙げるまでもなく、ポンプによる新鮮な水の入れ替え、噴水による酸素の供給などの対策が知られている。
しかしいずれの方法も長期間、維持してゆくには多くのエネルギーと管理体制を必要として不経済なものである
【課題を解決するための手段】
【０００４】
上記のような課題を解決するために、本発明の内陸水域の水の循環方法は干潮時と満潮時に水位差を生じる干満水域と、この干満水域と連続した内陸水域との間に水門を設け、さらに、干潮水域と内陸水域との間を通水管で連続して、通水管の一方の端を干潮水域側に開口し、通水管の他方の端を内陸水域側に開口し、干満水域の満潮時には、水門を解放し、通水管の干満水域側を閉鎖して、干満水域の水を内陸水域に水を流入させ、干満水域の干潮時には、水門を閉鎖し、通水管の内陸水域側から流入した水を通水管を通して干満水域に吐出させて行う、内陸水域の水の循環方法を特徴とするものである。
また本発明の内陸水域の水の循環方法は、干潮時と満潮時に水位差を生じる干満水域と、この干満水域と連続した内陸水域との間に第一と第二の水門を設け、さらに、内陸水域を第一の水域と第二の水域に分割して、かつ第一の水域と第二の水域は一部の連続させ、干満水域の満潮時には、第一の水門のみを開放して、干満水域の水を第一の水域に流入させ、干満水域の干潮時には、第二の水門のみを開放して、第二の水域の水を干満水域側へ流入させて行う、内陸水域の水の循環方法を特徴とするものである。
【発明の効果】
【０００５】
本発明の内陸水域の水の循環方法は以上説明したようになるから次のような効果を得ることができる。
＜１＞  内陸に設けた水路や溜池、御堀などの内陸水域の滞留水を、自然に近い方法で入れ替えて、水質を改善することができる。
＜２＞  干満水域の満潮時と干潮時の水位差をエネルギーとして利用するから、きわめて経済的に水の循環を行うことができる。
＜３＞  特に、通水管の一端を水路や御堀などの奥深くに設置しておいたり、あるいは水域を奥深くまで分割しておけば、奥深くの水が常に入れ替わることになり、水域全体の循環を行うことができる。
＜４＞  通水管の開口部に水車を設置すれば、通水管への水の流入時、あるいは排出時の水圧を使用して水車を回転させて発電を行うことができるから、その電力で照明を行ったり、水門の開閉を行うなど、有効に活用することができる。
【発明を実施するための最良の形態】
【０００６】
以下図面を参照にしながら本発明の好適な実施の形態を詳細に説明する。
【実施例】
【０００７】
＜１＞対象とする水域。
本発明の循環方法の対象とする水域は、御堀、溜池、水路、など（以下「内陸水域」）であるが、特に干満の差を生じる「干満水域」の影響を受ける内陸の水域である。
あるいは、現在は干満水域の影響を受けていない、独立した内陸水域であるが、両者を水路で連結することによって干満水域の影響を受けるように構築できる内陸水域も本発明の対象となる。
【０００８】
＜２＞水門の設置。
干潮時と満潮時に水位差を生じる干満水域と、この干満水域と連続した内陸水域との間に水門を設ける。
ここで「水門」とは、扉板を水中から引き上げたり、水中に下ろしたりするタイプのものだけではなく、例えば後述する通水管の開口部に、蓋板をピンで係止した逆止弁のような、水流によって開閉するタイプの扉も含んだ意味である。
水門の開閉は、逆止弁以外の弁の場合には電動式、手動式の開閉構造のものを採用することができる。
【０００９】
＜３＞通水管を敷設する方法。（図１，２）
干潮水域と内陸水域との間に通水管１を敷設して、両者を通水管１で連続する。
そしてこの通水管１の一方の端は、干潮水域側に開口する。
また、通水管１の他方の端を内陸水域側に開口する。
内陸水域における開口位置は、一般にはできるだけ内陸水域の奥深くの、通常は水が停滞しやすい位置に設けることが効率的である。
しかし、図５に示すように中心部の水深が深い、池のような内陸水域では、最も深い中心部に、通水管１の開口部を位置させることも有効である。
【００１０】
＜４＞満潮時。（図１）（図５）
上記のように水門２と通水管１を敷設した構成において、干満水域の満潮時には、水門２を解放する。
すると干満水域の水は、水門２を通って内陸水域に流入する。
こうして内陸水域の水位を干満水域の満潮時の水位と等しい水位まで上昇させるが、この状態では内陸水域の全体の水位が上昇しただけで流れが生じることにはならない。
【００１１】
＜５＞干潮時。（図２）
干満水域が満潮時を過ぎて干潮に向かう時刻になったら、両水域の境界に位置する水門２を閉鎖する。
すると内陸水域の水位は保持され、干満水域の水位は低下する。
そして時期をみて、通水管１の両端は開放する。
通水管１の干満水域側に逆止弁を設けておけば、通水管１の流水の水圧だけで、満潮時には閉鎖し、干潮時には開放する動作を行わせることもできる。
その結果、内陸水域の水は通水管１へ流入し、通水管１を通って干満水域に吐出する。
したがって、通水管１の内陸水域側の開放端の付近の水が先行して干満水域に排出され、内陸水域の全体に、通水管１の開放端を目指した流れが発生する。
こうして通水管１の開放端、すなわち通常であれば水が滞留しやすい場所の水が優先して干満水域に排出されて循環が生じ、この繰り返しによって全範囲の水の入れ替えが行われる。図５の実施例の場合も同様である。
このように水域の一部だけではなく、水域の全体に流れを発生させることが本発明の特徴である。
【００１２】
＜６＞複数の水路に分割する方法。（図３，４）
干潮時と満潮時に水位差を生じる干満水域と、この干満水域と連続した内陸水域との間に第一と第二の水門２を設ける。
一方、内陸水域内に分割壁３を設けて、水域を第一の水域と第二の水域に分割する。
ただし分割壁３によって水域を完全に二分割するのではなく、一部において、第一の水域と第二の水域は一部の連続させる。
この連続部３１を、水路であればできるだけ奥深くの、一般に水が滞留しやすい位置に設けると効果的である。
そして第一の水門２１は第一の水域と干満水域の境界に設置する。
第二の水門２２は、第二の水域と干満水域の境界に設置する。
【００１３】
＜７＞満潮時。（図３）
干満水域の満潮時には、第一の水門２１のみを開放する。
すると、干満水域の水が第一の水域に流入することになる。
【００１４】
＜８＞干潮時。（図４）
干満水域の干潮時には、第二の水門２２のみを開放する。
すると、第二の水域に流入していた水が、干満水域側へ流出することになる。
こうして干満水域の干満の差を利用して、分割壁３によって内陸水域に一方向の水流を発生させて、通常であれば水が滞留しやすい場所でも、そこの水を干満水域に排出させる。
こうして内陸水域の水に循環が生じ、この繰り返しによって全範囲の水の入れ替えが行われる。
【００１５】
＜９＞発電。
前記したように、干潮水域と内陸水域との間を連続させた通水管１では、干満の水位差によって開口部に水流が発生する。
水域を分割壁３で仕切った場合にも水門の開口部に同様の流れが生じる。
そこで、この開口部に発電機の水車、タービンを設置する。
すると通水管１への水の流入時、あるいは排出時に発生する水圧を使用して水車を回転させて発電を行うことができる。
ここで得た電力によって照明を行い、あるいは電動式の水門２の開閉に利用することができる、
【図面の簡単な説明】
【００１６】
【図１】本発明の内陸水域の水の循環方法の実施例の満潮時の状態の説明図。
【図２】図１の実施例の干潮時の説明図。
【図３】他の実施例の満潮時の説明図。
【図４】図３の実施例の干潮時の説明図。
【図５】他の実施例の満潮時の説明図。
【符号の説明】
【００１７】
１：通水管
２：水門
３：分割壁
【図１】
2005299277.tif 000003
【図２】
2005299277.tif 000004
【図３】
2005299277.tif 000005
【図４】
2005299277.tif 000006
【図５】
2005299277.tif 000007